(57)【要約】【課題】  ペンダントトップの装着、互換、ネックレス基体の止め具への装着等が、容易に行え、ペンダントトップを手軽に組合せでき、手持ちのネックレス基体やペンダントトップを有効的に活用でき、お洒落を楽しめ、構成簡素で、製造し易く、取扱い易く、外観上の体裁が良く、経済的にも優れたペンダントトップを有するネックレスを提供する。【解決手段】  ネックレス基体ＡとペンダントトップＥと係止具Ｃと止め具Ｄとを備えたネックレスに於いて、止め具Ｄは、少なくとも一対の透孔６を有する外殻体５と、外殻体５に内装する弾性パイプ７とを備え、ネックレス基体Ａの他端にはスライドピンＢを延設し、スライドピンＢは、止め具本体Ｄ１を貫通できる長さに形成し、ペンダントトップＥのバチカン１０或いは取付孔や、止め具Ｄの透孔６や、弾性パイプ７に設けた貫通孔８を、スライドピンＢが挿通可能となるよう構成する。【選択図】図２
0003114633.tif 000002
【実用新案登録請求の範囲】
【請求項１】
ネックレス基体と、バチカン或いは取付孔等を介してネックレス基体に装着されるペンダントトップと、ネックレス基体の一端部分に装着される係止具と、この係止具とネックレス基体の他端とを連結する止め具とを備えたネックレスに於いて、止め具は、少なくとも一対の透孔を有する外殻体と、この外殻体に内装される弾性パイプとを備え、ネックレス基体の他端にはスライドピンを延設し、このスライドピンは、止め具本体を貫通できるような長さに形成され、ペンダントトップのバチカン或いは取付孔や、止め具の透孔や、弾性パイプに設けられた貫通孔を、スライドピンが挿通可能となるように構成したことを特徴とするペンダントトップを有するネックレス。
【請求項２】
スライドピンは、軸部と、この軸部の先端部分に連設される先行ガイド部と、軸部の基端部分に連設される取付部とからなり、軸部を略細長円柱状に形成し、先行ガイド部を略球形状に形成したことを特徴とする請求項１記載のペンダントトップを有するネックレス。
【請求項３】
スライドピンの軸部を、軸心方向に沿って比較的緩やかな略波形状となるように形成したことを特徴とする請求項１または請求項２記載のペンダントトップを有するネックレス。
【考案の詳細な説明】
【技術分野】
【０００１】
本考案は、ペンダントトップを有するネックレスに於いて、例えば、装身用鎖・チェーン等で構成されているネックレス基体に適宜ペンダントトップを装着する作業や、ペンダントトップを互換装着する作業や、ネックレス基体の端部を止め具へ装着する作業等が、誰でも容易に行えるようにして、服装や気分等に応じて好みのペンダントトップを、ネックレス基体に手軽に組合せて楽しめるように工夫したペンダントトップを有するネックレスに関するものである。
【背景技術】
【０００２】
従来、この種のペンダントトップを有するネックレスにあっては、種々のものが提供されている。
そして、一般的に提供されているものとしては、例えば、特許文献１に示すように、装身用鎖・チェーン等で構成されているネックレス本体を、ペンダントトップのバチカンに挿通し、ネックレス本体の両端部に、これらを分離自在に連結する係止具を連結して構成されたものが数多くある。
【０００３】
【特許文献１】実開平６−５５１６号（図３）
【考案の開示】
【考案が解決しようとする課題】
【０００４】
しかしながら、最近のペンダントトップを有するネックレスにあっては、ペンダントトップのバチカンや取付孔等を小さく形成する傾向にあり、これらを小さくした場合に、係止具を通過させることができなかったり、或いは、通過させ難くなったりして、ペンダントトップのネックレス本体への装着（取外し）や、ペンダントトップの互換装着等を簡単に行うことができない難点等が生じるようになった。
【０００５】
すなわち、メーカーに於いてペンダントトップを有するネックレスを製造する時や、ユーザーに於いてペンダントトップを互換装着する時に、その作業が簡単に且つ迅速に行い難いものとなっている。しかも、作業をするための工具等（例えば、係止具を連結している丸カン等を取外したり、装着したりできる工具）も必要であった。
【０００６】
そのため、本考案は、前述の如き難点等を解消できて、しかも、構成が簡素で、製造し易く、取扱いが容易で、外観上の体裁が良く、経済的にも優れたペンダントトップを有するネックレスを提供できるようにすべく案出されたものである。
【課題を解決するための手段】
【０００７】
しかして、請求項１記載のペンダントトップを有するネックレスにあっては、ネックレス基体Ａと、バチカン１０或いは取付孔等を介してネックレス基体Ａに装着されるペンダントトップＥと、ネックレス基体Ａの一端部分に装着される係止具Ｃと、この係止具Ｃとネックレス基体Ａの他端とを連結する止め具Ｄとを備えたネックレスに於いて、止め具Ｄは、少なくとも一対の透孔６を有する外殻体５と、この外殻体５に内装される弾性パイプ７とを備え、ネックレス基体Ａの他端にはスライドピンＢを延設し、このスライドピンＢは、止め具本体Ｄ１を貫通できるような長さに形成され、ペンダントトップＥのバチカン１０或いは取付孔や、止め具Ｄの透孔６や、弾性パイプ７に設けられた貫通孔８を、スライドピンＢが挿通可能となるように構成する手段を採用した。
【０００８】
また、請求項２記載のペンダントトップを有するネックレスにあっては、スライドピンＢは、軸部１と、この軸部１の先端部分に連設される先行ガイド部２と、軸部１の基端部分に連設される取付部３とからなり、軸部１を略細長円柱状に形成し、先行ガイド部２を略球形状に形成する手段を採用した。
【０００９】
更に、請求項３記載のペンダントトップを有するネックレスにあっては、スライドピンＢの軸部１を、軸心方向に沿って比較的緩やかな略波形状となるように形成する手段を採用した。
【考案の効果】
【００１０】
従って、請求項１記載のペンダントトップを有するネックレスによれば、ネックレス基体Ａに適宜ペンダントトップＥを装着する作業や、ペンダントトップＥを互換装着する作業や、ネックレス基体Ａの端部を止め具Ｄへ装着する作業等が、誰でも容易に行えるようになる。ひいては、ユーザーが服装や気分等に応じて好みのペンダントトップＥをネックレス基体Ａに手軽に組合せでき、手持ちのネックレス基体ＡやペンダントトップＥを有効的に活用できて経済的となり、お洒落をより楽しめるようになる。
【００１１】
特に、ペンダントトップＥのバチカン１０や取付孔等が小さい場合でも、スライドピンＢを利用して、バチカン１０や取付孔等にネックレス基体Ａを通過させることができ、ペンダントトップＥのネックレス基体Ａへの装着（取外し）や、ペンダントトップＥの互換装着等を簡単に行うことができるようになる。
【００１２】
すなわち、メーカーに於いてペンダントトップＥを有するネックレスを製造する時や、ユーザーに於いてペンダントトップＥを互換装着する時に、その作業が誰でも簡単に且つ迅速に行えるようになり、更に、作業をするための工具等も一切不要である。
【００１３】
しかも、構成が簡素で、製造し易く、取扱いが容易で、外観上の体裁が良く、経済的にも優れたペンダントトップを有するネックレスとなる。
【００１４】
また、請求項２記載のペンダントトップを有するネックレスによれば、スライドピンＢによって、止め具Ｄへのネックレス基体Ａの装着や、バチカン１０への挿通が、熟練を要することなく誰でも簡単に、スムーズに、手軽に、且つ能率良く行えるようになる。
【００１５】
加えて、略球形状の先行ガイド部２によって、スライドピンＢを安全に且つスムーズにガイドできるようになる。すなわち、スライドピンＢの先端部分を、ペンダントトップＥのバチカン１０或いは取付孔や、止め具Ｄの透孔６や、弾性パイプ７の貫通孔８にスムーズに進入せしめられるようになる。
【００１６】
更に、請求項３記載のペンダントトップを有するネックレスによれば、弾性パイプ７の貫通孔８と、スライドピンＢの軸部１とに於いて、軸部１が移動する時の抵抗が若干増すようになり、例えば、不意の外力等がネックレス基体Ａに作用したときに、スライドピンＢが止め具Ｄから僅かな力で簡単に抜けてしまうような虞のないものとなる。
【００１７】
しかも、軸心方向に沿って比較的緩やかな略波形状となっているので、アクセントとなって、外観上の体裁も良いものとなる。
【考案を実施するための最良の形態】
【００１８】
以下、本考案を図示例に基づいて説明すると、次の通りである。
本考案のペンダントトップＥを有するネックレスは、具体的には、装身用鎖・チェーンや、装身用紐等の如き比較的細くて長尺で綺麗な適宜ネックレス基体Ａと、バチカン１０或いは取付孔等を介してネックレス基体Ａに装着される適宜ペンダントトップＥと、ネックレス基体Ａの一端部分に装着されると共に、連結分離自在な一対の構成部材によって形成されている適宜係止具Ｃと、この係止具Ｃとネックレス基体Ａの他端とを連結する止め具Ｄとを備えたものである。
そして、止め具Ｄは、略中空状の外殻体５と、この外殻体５に内装される弾性パイプ７とを備え、外殻体５には、対向位置に配される少なくとも一対の透孔６が穿設され、弾性パイプ７には、その中心部分に貫通孔８が設けられている。すなわち、一対の透孔６は、ネックレス基体Ａをスムーズに挿通できるように形成され、貫通孔８は、ネックレス基体Ａを挿通できると共に、その内周壁面でネックレス基体Ａを弾性的に圧迫して、ネックレス基体Ａを任意の位置で保持できるように形成されている。
更に、ネックレス基体Ａの他端にはスライドピンＢを延設し、このスライドピンＢは、透孔６や貫通孔８に挿通されて、止め具本体Ｄ１を貫通できるような長さに形成され、ペンダントトップＥのバチカン１０或いは取付孔（及び止め具Ｄの透孔６や、弾性パイプ７に設けられた貫通孔８）を、スライドピンＢが挿通可能となるように構成されている。
しかも、スライドピンＢは、軸部１と、この軸部１の先端部分に連設される先行ガイド部２と、軸部１の基端部分に連設される取付部３とからなり、軸部１を略細長円柱状に形成し（或いは、軸心方向に沿って比較的緩やかな略波形状に形成し）、先行ガイド部２を略球形状に形成してある。
【実施例】
【００１９】
前記ネックレス基体Ａは、例えば、適宜貴金属製のもの（或いは、適宜金属材に貴金属メッキを施したもの）や、適宜合成樹脂製のものや、適宜複合材を利用したものや、種々の材質からなるパーツを組合わせたもの等が利用され、しかも、装身用鎖・チェーン状に形成されたものや、装身用紐状に形成されたものや、その他適宜構成のものでも良い。ただし、ペンダントトップＥのバチカン１０或いは取付孔や、止め具Ｄの透孔６や、弾性パイプ７に設けられた貫通孔８に挿通されることから、比較的細くて凹凸状態が激しくないもの（極端に突出した部分がないこと）が好ましい（図１、図３参照）。
【００２０】
スライドピンＢは、例えば、適宜貴金属製のもの（或いは、適宜金属材に貴金属メッキを施したもの）や、適宜合成樹脂製のものや、適宜複合材を利用したもの等が利用され、しかも、略細長円柱状の軸部１と、この軸部１の先端部分に一体的に連設される略球形状の先行ガイド部２と、軸部１の基端部分に一体的に（或いは、溶着手段等を介して）連設される略長円環状の取付部３とからなっている（図２参照）。
【００２１】
ところで、前記軸部１は、軸心方向に沿って比較的緩やかな略波形状に形成して、貫通孔８と軸部１との関係に於いて、軸部１が移動（摺動）する時の抵抗が若干増すように構成してあっても良い（図３参照）。
【００２２】
尚、前記先行ガイド部２は、スライドピンＢの先端部分が、ペンダントトップＥのバチカン１０或いはペンダントトップＥに設けた取付孔や、止め具Ｄの透孔６や、弾性パイプ７の貫通孔８にスムーズに進入できて、しかも、スライドピンＢ先端によって人体を損傷するようなことがないように構成されたものであれば良い。
【００２３】
また、前記取付部３は、ペンダントトップＥのバチカン１０或いはペンダントトップＥに設けた取付孔や、止め具Ｄの透孔６や、弾性パイプ７の貫通孔８をスムーズに挿通できて、しかも、ネックレス基体Ａの他端部分が簡単に且つ確実に連結できるように構成されたものであれば良い。
【００２４】
前記係止具Ｃは、例えば、適宜貴金属製のもの（或いは、適宜金属材に貴金属メッキを施したもの）や、適宜合成樹脂製のものや、適宜複合材を利用したもの等が利用され、しかも、引き輪と、この引き輪に連結分離自在な係止プレートとからなっており、係止プレートがネックレス基体Ａの一端部分に連結され、引き輪が止め具Ｄの取付部９に連結された状態となっている（図２参照）。
【００２５】
前記止め具Ｄは、例えば、適宜貴金属製のもの（或いは、適宜金属材に貴金属メッキを施したもの）や、適宜合成樹脂製のものや、適宜複合材を利用したものや、その他の適宜材料によって構成される略中空球形状の外殻体５と、適宜弾性材によって略厚肉円筒状に形成される弾性パイプ７とで構成されている。
【００２６】
そして、前記外殻体５には、例えば、その対向位置に一対の透孔６が穿設され、その外表面の適宜位置には、略小リング状の取付部９が溶着手段等によって連設されている。
【００２７】
また、前記弾性パイプ７は、例えば、その貫通孔８が外殻体５の一対の透孔６に臨むように配されている。しかも、弾性パイプ７の両端面の外周縁部分が外殻体５の内表面に接触した状態で、外殻体５に安定的に内装されている。すなわち、弾性パイプ７自身の弾性変形が大きく且つ無理なく行えるようになって、ネックレス基体Ａを無理なく圧迫できるように構成されている（図２参照）。
【００２８】
前記ペンダントトップＥは、例えば、適宜材料を利用して形成することができるものであり、その上部に取付けられる適宜バチカン１０や、自身に設けられる適宜取付孔等を介してネックレス基体Ａに互換装着できるように構成されている。
【００２９】
ところで、ペンダントトップを有するネックレスの具体的構成、形状、寸法、材質、ネックレス基体Ａの具体的構成、形状、寸法、材質、スライドピンＢの具体的構成、形状、寸法、材質、係止具Ｃの具体的構成、形状、寸法、材質、止め具Ｄの具体的構成、形状、寸法、材質、ペンダントトップＥの具体的構成、形状、寸法、材質、数、軸部１の具体的構成、形状、寸法、材質、先行ガイド部２の具体的構成、形状、寸法、材質、取付部３の具体的構成、形状、寸法、材質、外殻体５の具体的構成、形状、寸法、材質、透孔６の具体的構成、形状、寸法、数、配設位置、弾性パイプ７の具体的構成、形状、寸法、材質、配設状態、貫通孔８の具体的構成、形状、寸法、数、取付部９の具体的構成、形状、寸法、材質、数、配設位置、バチカン１０の具体的構成、形状、寸法、材質等は図示例のもの等に限定されることなく適宜自由に設定、変更できるものである。
【図面の簡単な説明】
【００３０】
【図１】本考案のネックレスを例示する正面図である。
【図２】本考案のネックレスを例示する一部を省略した一部切欠正面図である。
【図３】本考案の他のネックレスを例示する正面図である。
【符号の説明】
【００３１】
Ａ    ネックレス基体
Ｂ    スライドピン
Ｃ    係止具
Ｄ    止め具
Ｅ    ペンダントトップ
１    軸部
２    先行ガイド部
３    取付部
５    外殻体
６    透孔
７    弾性パイプ
８    貫通孔
９    取付部
１０  バチカン
【図１】
0003114633.tif 000003
【図２】
0003114633.tif 000004
【図３】
0003114633.tif 000005